(57)【要約】【課題】  扉を閉める際に発生する衝撃音を抑制することができる安全柵を提供する。【解決手段】  本発明の一態様に係る安全柵１００は、第１扉１０と、第１扉１０を回動可能に支持する扉枠３０と、磁力を用いて第１扉１０を閉じ位置に引き寄せる位置決め磁石４０と、閉じ位置にある第１扉１０に係止して第１扉１０の回動を防ぐ係止部材５０と、を備えている。【選択図】図１
2020092781.tif 000002
【特許請求の範囲】
【請求項１】
第１扉と、
前記第１扉を回動可能に支持する扉枠と、
磁力を用いて前記第１扉を閉じ位置に引き寄せる位置決め磁石と、
閉じ位置にある前記第１扉に係止して前記第１扉の回動を防ぐ係止部材と、を備えた安全柵。
【請求項２】
前記係止部材は、前記第１扉に係止しない非係止位置と前記第１扉に係止する係止位置との間を直線的にスライド可能に構成されている、請求項１に記載の安全柵。
【請求項３】
前記第１扉の幅方向に隣接して配置された第２扉をさらに備え、
前記扉枠は、前記第１扉の前記第２扉から遠い方の幅方向端部を吊元として前記第１扉を回動可能に支持するとともに、前記第２扉の前記第１扉から遠い方の幅方向端部を吊元として前記第２扉を回動可能に支持する、請求項１に記載の安全柵。
【請求項４】
前記位置決め磁石は、磁力を用いて前記第１扉を閉じ位置に引き寄せるとともに前記第２扉を閉じ位置に引き寄せる、請求項３に記載の安全柵。
【請求項５】
軸方向に移動可能な位置決めピンを有するか又は前記位置決めピンが挿入される係止穴が形成された扉と、
前記扉を回動可能に支持する扉枠と、
前記扉が閉じ位置にあるとき磁力を用いて前記位置決めピンを前記係止穴に引き寄せる位置決め磁石と、を備えた安全柵。
【発明の詳細な説明】
【技術分野】
【０００１】
本発明は、幼児やペットの通行又は侵入を規制する安全柵に関する。
【背景技術】
【０００２】
下記の特許文献１には、通路や出入口に設置され、幼児やペットの通行又は侵入を規制する安全柵が開示されている。この安全柵は、大人や飼い主などが通行するための扉を備えるとともに、幼児やペットが扉を開けないように、扉を閉じ位置でロックするロック機構を備えている。
【０００３】
このロック機構では、扉が閉じ位置にあるとき、扉の下面に設けられた突起部が、扉枠に形成されたロック穴に入り込むことでロック状態となる。ロック状態では、突起部がロック穴に引っ掛かるため、扉を開けることができない。なお、扉を持ち上げれば、突起部がロック穴から抜け出るためロックは解除される。
【先行技術文献】
【特許文献】
【０００４】
【特許文献１】特開２０１７−０００４９５号公報
【発明の概要】
【発明が解決しようとする課題】
【０００５】
上記のロック機構を備えた安全柵では、開いた扉を閉じる際、扉の下面に設けられた突起部が扉枠に接触して上方に押し上げられ、その後、扉が閉じ位置に達したときにロック穴に入り込むように構成されている。このように、扉を閉じる際には突起部が扉枠に接触し、このとき扉全体が振動して大きな衝撃音が発生する場合がある。大きな衝撃音が発生すると、寝ている幼児やペットを起こすおそれがあるため好ましくない。
【０００６】
本発明は、以上のような事情に鑑みてなされたものであり、扉を閉める際に発生する衝撃音を抑制することができる安全柵を提供することを目的としている。
【課題を解決するための手段】
【０００７】
本発明の一態様に係る安全柵は、第１扉と、前記第１扉を回動可能に支持する扉枠と、磁力を用いて前記第１扉を閉じ位置に引き寄せる位置決め磁石と、閉じ位置にある前記第１扉に係止して前記第１扉の回動を防ぐ係止部材と、を備えている。
【０００８】
この構成によれば、位置決め磁石によって磁力を用いて第１扉を閉じ位置に位置決めするため、第１扉を閉める際に第１扉と扉枠等との接触を避けることができる。よって、上記の安全柵によれば、第１扉を閉める際に発生する衝撃音を抑制することができる。
【０００９】
上記の安全柵において、前記係止部材は、前記第１扉に係止しない非係止位置と前記第１扉に係止する係止位置との間を直線的にスライド可能に構成されていてもよい。
【００１０】
この構成では、係止部材が直線的にスライドすることで第１扉に係止するため、係止部材が回動することで第１扉に係止するような場合に比べて、係止部材が第１扉に係止する際に生じる衝撃が少なく、衝撃音を抑制することができる。
【００１１】
上記の安全柵において、前記第１扉の幅方向に隣接して配置された第２扉をさらに備え、前記扉枠は、前記第１扉の前記第２扉から遠い方の幅方向端部を吊元として前記第１扉を回動可能に支持するとともに、前記第２扉の前記第１扉から遠い方の幅方向端部を吊元として前記第２扉を回動可能に支持するようにしてもよい。
【００１２】
この構成では、第１扉と第２扉とによって両開き扉を形成することになる。両開き扉は、片開き扉に比べて、扉一枚当たり大きさ（すなわち旋回半径）を小さくできるため、位置決め磁石の磁力が小さくとも位置決めを行うことができる。
【００１３】
上記の安全柵において、前記位置決め磁石は、磁力を用いて前記第１扉を閉じ位置に引き寄せるとともに前記第２扉を閉じ位置に引き寄せるようにしてもよい。
【００１４】
両開き扉は２枚の扉で構成されているため、各扉を閉じる際にそれぞれの扉から衝撃音が発生するおそれがある。つまり、両開き扉は、片開き扉よりも通行しやすいというメリットがある一方、衝撃音が発生しやすいというデメリットがある。ところが、上記の構成によれば、第１扉と第２扉はいずれも磁力を用いて位置決めされるため、通行しやすいというメリットを残したまま、衝撃音が発生しやすいという両開き扉のデメリットを抑えることができる。
【００１５】
本発明の他の態様に係る安全柵は、軸方向に移動可能な位置決めピンを有するか又は前記位置決めピンが挿入される係止穴が形成された扉と、前記扉を回動可能に支持する扉枠と、前記扉が閉じ位置にあるとき磁力を用いて前記位置決めピンを前記係止穴に引き寄せる位置決め磁石と、を備えている。
【００１６】
この構成では、位置決め磁石によって位置決めピンを係止穴に引き寄せることにより扉を閉じ位置に位置決めすることになる。そのため、扉を閉める際に扉と扉枠等との接触を避けることができるため、扉を閉める際に生じる衝撃音を抑制することができる。
【発明の効果】
【００１７】
上記の安全柵によれば、扉を閉める際に発生する衝撃音を抑制することができる。
【図面の簡単な説明】
【００１８】
【図１】図１は、第１実施形態に係る安全柵の正面図である。
【図２】図２は、図１に示す安全柵の係止部材が第１扉に係止した状態の図である。
【図３】図３は、第２実施形態に係る安全柵の正面図である。
【図４】図４は、図３に示す安全柵の位置決めピン付近の一部断面図である。
【発明を実施するための形態】
【００１９】
（第１実施形態）
はじめに、第１実施形態に係る安全柵１００について説明する。図１は安全柵１００の正面図である。以下では、図１における紙面左右方向を安全柵１００の「幅方向」と称し、図１における紙面手前側及び紙面奥側をそれぞれ安全柵１００の「正面側」及び「背面側」と称して説明する。なお、以下では、全ての図面を通じて同一又は相当する要素には同じ符号を付して、重複する説明は省略する。
【００２０】
図１に示すように、本実施形態に係る安全柵１００は、第１扉１０と、第２扉２０と、扉枠３０と、位置決め磁石４０と、係止部材５０と、を備えている。以下、これらの構成要素について順に説明する。
【００２１】
第１扉１０は、安全柵１００が備える２つの扉のうちの一方の扉である。第１扉１０は、第２扉２０とともに両開き扉を構成する。第１扉１０は、第１扉１０の第２扉２０から遠い方（図１の紙面左側）の幅方向端部を吊元とし、第２扉２０に近い側（図１の紙面右側）の幅方向端部を戸先として、正面側及び背面側に開くように構成されている。また、第１扉１０は、金属又は樹脂で形成された矩形枠状のフレーム（不図示）と、このフレームを覆うクッション材料（緩衝材料）で形成された外周表面部１１と、メッシュ材料で形成された中央部１２と、を有している。
【００２２】
第２扉２０は、安全柵１００が備える２つの扉のうちの他方の扉である。第２扉２０は、第１扉１９の幅方向に隣接して配置されおり、第１扉１０とともに両開き扉を構成する。本実施形態では、第１扉１０と第２扉２０は接触しておらず、これらの間には隙間が形成されている。第２扉２０は、第２扉２０の第１扉１０から遠い方（図１の紙面右側）の幅方向端部を吊元とし、第１扉１０に近い方（図１の紙面左側）の幅方向端部を戸先として、正面側及び背面側に開くように構成されている。また、第２扉２０は、金属又は樹脂で形成された矩形枠状のフレーム（不図示）と、このフレームを覆うクッション材料（緩衝材料）で形成された外周表面部２１と、メッシュ材料で形成された中央部２２と、を有している。
【００２３】
扉枠３０は、第１扉１０及び第２扉２０を回動可能に支持する部材である。扉枠３０は、上下方向に延びて第１扉１０側に位置する第１縦枠部３１と、上下方向に延びて第２扉２０側に位置する第２縦枠部３２と、第１扉１０及び第２扉２０の下方に位置し第１縦枠部３１の下端部分と第２縦枠部３２の下端部分をつなぐ下枠部３３と、を有しており、全体としてＵ字状に形成されている。また、扉枠３０の下枠部３３の正面側及び背面側の両方に、設置面に対して水平な板状の踏板３９が設けられている。踏板３９は、安全柵１００が倒れないようにするための部材である。安全柵１００を通路の壁等に固定する場合は、踏板３９を省略してもよい。
【００２４】
上述した第１縦枠部３１と第１扉１０の間には第１上ヒンジ部材３４が設けられており、下枠部２３と第１扉１０の間には第１下ヒンジ部材３５が設けられている。扉枠３０は、この第１上ヒンジ部材３４及び第１下ヒンジ部材３５を介して、第１扉１０を回動可能に支持している。また、第２縦枠部３２と第２扉２０の間には第２上ヒンジ部材３６が設けられており、下枠部２３と第２扉２０の間には第２下ヒンジ部材３７が設けられている。扉枠３０は、この第２上ヒンジ部材３６及び第２下ヒンジ部材３７を介して、第２扉２０を回動可能に支持している。
【００２５】
位置決め磁石４０は、第１扉１０及び第２扉２０を閉じ位置（閉じた状態の位置）に位置決めするための部材である。本実施形態の位置決め磁石４０は、第１扉１０の戸先に設けられた第１磁石４１と、第２扉２０の戸先に設けられた第２磁石４２と、を有している。第１磁石４１と第２磁石４２は対向し、磁力によって互いに引きあうように配置されている。例えば、第１磁石４１の第２磁石４２に対向する部分がＮ極であり、第２磁石４２の第１磁石４１に対向する部分がＳ極となっている。
【００２６】
なお、本実施形態の位置決め磁石４０は、第１磁石４１及び第２磁石４２を有しているが、第１磁石４１及び第２磁石４２のうちの一方を磁性体としてもよい。また、本実施形態の位置決め磁石４０は、第１磁石４１及び第２磁石４２を１つずつ有しているが、第１磁石４１及び第２磁石４２を複数有していてもよい。さらに、本実施形態では、第１磁石４１が第１扉１０に設けられており、第２磁石４２が第２扉２０に設けられている場合について説明したが、第１磁石４１が第１扉１０及び第２扉２０の下端に設けられており、第２磁石４２が扉枠３０の下枠部３３に設けられていてもよい。
【００２７】
上記のとおり、本実施形態に係る安全柵１００では、位置決め磁石４０によって第１扉１０及び第２扉２０を閉じ位置に位置決めするため、第１扉１０及び第２扉２０を閉める際に第１扉１０及び第２扉２０と扉枠３０等との接触を避けることができる。したがって、本実施形態に係る安全柵１００によれば、第１扉１０及び第２扉２０を閉める際に発生する衝撃音を抑制することができる。
【００２８】
係止部材５０は、閉じ位置にある第１扉１０に係止する部材である。係止部材５０は、第２扉２０に設けられたガイド部材５１を介して第２扉２０に取り付けられている。ガイド部材５１は、第２扉２０の戸先の上端部分を覆うようにして固定されている。つまり、ガイド部材５１は、緩衝材料で形成された外周表面部２１を介して第２扉２０に固定されている。係止部材５０は、安全柵１００の幅方向（図１の紙面左右方向）に延びており、下方が開口する断面Ｕ字状の形状を有している。ガイド部材５１の側面には安全柵１００の幅方向に延びるガイドレールが形成されており、係止部材５０はこのガイドレールに沿って安全柵１００の幅方向にスライドする。
【００２９】
また、係止部材５０は、第１扉１０に設けられた被係止部材５２を介して第１扉１０に係止する。被係止部材５２は、第１扉１０の戸先の上端部分を覆うようにして固定されている。つまり、被係止部材５２は、緩衝材料で形成された外周表面部１１を介して第１扉１０に固定されている。図２は、係止部材５０が第１扉１０に係止した状態を示した図である。係止部材５０は、図１に示すような第１扉１０に係止しない非係止位置と、図２に示すような第１扉１０に係止する係止位置との間を直線的にスライドする。係止部材５０が第１扉１０に係止することにより、係止位置にある第１扉１０の回動が制限されるとともに、係止位置にある第２扉２０の回動が制限される。
【００３０】
上記のとおり、本実施形態では、係止部材５０が直線的にスライドすることで第１扉１０に係止するため、係止部材５０が回動することで第１扉１０に係止する場合に比べて、係止部材５０が第１扉１０（被係止部材５２）に勢いよく接触することが少なく、係止部材５０が第１扉１０に係止する際に発生する衝撃音を抑制することができる。
【００３１】
また、本実施形態では、係止部材５０が第１扉１０に係止する際に接触する被係止部材５２は、緩衝材料で形成された外周表面部１１を介して第１扉１０に固定されている。そのため、係止部材５０が被係止部材５２に接触したとしても、その衝撃は外周表面部１１に吸収されるため、衝撃音は抑制される。
【００３２】
なお、本実施形態に係る安全柵１００は、第１扉１０及び第２扉２０の２枚の扉を備えているが、第２扉２０を備えず第１扉１０の１枚の扉のみを備えていてもよい。つまり、両開き扉に代えて、片開き扉を採用してもよい。ただし、上述した位置決め磁石４０は、両開き扉と非常に相性がよい。つまり、両開き扉は、通行しやすいというメリットがある一方、片開き扉よりも扉の数が多いことから扉を閉めたときの衝撃音が発生しやすいというデメリットもある。ところが、上述した位置決め磁石４０を用いれば扉を閉めたときの衝撃音を抑制できることから、両開き扉のメリットを残しつつ、両開き扉のデメリットを抑えることができる。
【００３３】
（第２実施形態）
次に、第２実施形態に係る安全柵２００について説明する。図３は本実施形態に係る安全柵２００の正面図であり、図４は後述する位置決めピン６０付近の拡大一部断面図である。本実施形態に係る安全柵２００は、位置決め磁石４０及び係止部材５０（いずれも図１参照）を備えておらず、位置決めピン６０及び位置決め磁石６１を備えている点で第１実施形態に係る安全柵１００と相違する。以下、位置決めピン６０及び位置決め磁石６１を中心に説明する。
【００３４】
位置決めピン６０は、第１扉１０及び第２扉２０に形成された係止穴６２に入り込んで係止穴６２に係止する部材である。位置決めピン６０は磁性体材料で形成されており、円柱状の形状を有している。図４に示すように、扉枠３０の下枠部３３には上方に開口し上下方向に延びる収容穴６３が形成されている。第１扉１０及び第２扉２０が閉じ位置にないときには、位置決めピン６０はこの収容穴６３に収容されている。位置決めピン６０は、収容穴６３の内部を上下方向（つまり、位置決めピン６０の軸方向）に移動できるように構成されている。
【００３５】
位置決め磁石６１は、第１扉１０の下端部及び第２扉２０の下端部に形成された係止穴６２の内部に設けられている。係止穴６２は下方に開口し、上下方向に延びている。第１扉１０に形成された係止穴６２は、第１扉１０が閉じ位置にあるとき位置決めピン６０の鉛直方向上方に位置する。これにより、第１扉１０が閉じ位置にあるとき、第１扉１０に設けられた位置決め磁石６１が、磁力を用いて位置決めピン６０を係止穴６２に引き寄せる。同様に、第２扉２０に形成された係止穴６２は、第２扉２０が閉じ位置にあるとき位置決めピン６０の鉛直方向上方に位置する。これにより、第２扉２０が閉じ位置にあるとき、第２扉２０に設けられた位置決め磁石６１が、磁力を用いて位置決めピン６０を係止穴６２に引き寄せる。
【００３６】
このように、本実施形態では、位置決め磁石６１によって位置決めピン６０を係止穴６２に引き寄せることにより、位置決めピン６０は係止穴６２に入り込んで係止し、第１扉１０及び第２扉２０の回動を防止する。つまり、第１扉１０及び第２扉２０を閉じ位置に位置決めすることができる。このように、本実施形態に係る安全柵２００によれば、第１扉１０及び第２扉２０を閉める際に、第１扉１０及び第２扉２０と扉枠３０等との接触を避けることができる。したがって、本実施形態に係る安全柵２００によれば、第１扉１０及び第２扉２０を閉める際に発生する衝撃音を抑制することができる。
【００３７】
なお、本実施形態では、扉枠３０の下枠部３３に位置決めピン６０が設けられ、第１扉１０及び第２扉２０に位置決め磁石６１が設けられているが、位置決め磁石６１と位置決めピン６０の位置関係が逆であってもよい。つまり、扉枠３０の下枠部３３に位置決め磁石６１が設けられ、第１扉１０及び第２扉２０に位置決めピン６０が設けられていてもよい。この場合、収容穴６３の内部に位置決めピン６０を収容穴６３の内側に向かって引き上げるコイルばね等を設ければ、第１扉１０及び第２扉２０が閉じ位置にないときには位置決めピン６０は収容穴６３に収容することができる。さらに、第１扉１０及び第２扉２０の一方の戸先に位置決めピン６０が設けられ、他方の戸先に位置決め磁石６１が設けられていてもよい。
【００３８】
また、本実施形態に係る安全柵２００は、第１実施形態に係る安全柵１００の位置決め磁石４０及び係止部材５０を備えていないが、これらを備えていてもよい。さらに、本実施形態に係る安全柵２００においても、両開き扉に代えて、片開き扉を採用してもよい。
【符号の説明】
【００３９】
１０  第１扉
２０  第２扉
３０  扉枠
４０  位置決め磁石
５０  係止部材
６０  位置決めピン
６１  位置決め磁石
６２  係止穴
１００  安全柵
２００  安全柵
【図１】
2020092781.tif 000003
【図２】
2020092781.tif 000004
【図３】
2020092781.tif 000005
【図４】
2020092781.tif 000006